(57)【特許請求の範囲】
【請求項１】
遊技媒体を用いて遊技可能な遊技機と、前記遊技機に対して遊技媒体を貸し出す貸出機が列状に設置された遊技場の構造であって、
貸出機と遊技機のうちの一方が、他方に対して相対的に前記列に交差する方向に移動可能な移動手段を備えており、
遊技機あるいは貸出機を所望の位置で固定できる位置固定手段を備えており、
前記位置固定手段は、操作部材と、係合溝で構成されており、
前記操作部材は、鍵穴を有した本体部と、留め部材を有し、
前記係合溝は、操作部材の留め部材の回動方向に延びるように形成された溝であり、
遊技機あるいは貸出機を一の固定位置で固定した状態では、前記留め部材と係合溝が係合した係合状態となっており、
前記一の固定位置で固定した状態から球貸機を遊技機に対して相対的に移動させる際には、鍵を本体部に挿入し、鍵を操作することによって留め部材を回動させ、前記留め部材と係合溝の係合状態を解除することを特徴とする遊技場の構造。
【請求項２】
前記移動手段によって、貸出機が遊技機に対して相対的に移動するものであって、
貸出機は投入された紙幣を排出する排出口を有し、当該排出口から排出された紙幣は、副搬送路から主搬送路に搬送されて、所定の場所に収納されるものであって、
副搬送路は、曲線状の搬送路たる曲線部と、紙幣の搬送方向に対して交差する方向に延びた軸部を有し、
曲線部は、軸部を基準に、回動可能であることを特徴とする請求項１に記載の遊技場の構造。
【請求項３】
遊技媒体を用いて遊技可能な遊技機と、前記遊技機に対して遊技媒体を貸し出す貸出機が列状に設置された遊技場の構造であって、
貸出機と遊技機のうちの一方が、他方に対して相対的に前記列に交差する方向に移動可能な移動手段を備えており、
前記移動手段によって、貸出機が遊技機に対して相対的に移動するものであって、
貸出機は投入された紙幣を排出する排出口を有し、当該排出口から排出された紙幣は、副搬送路から主搬送路に搬送されて、所定の場所に収納されるものであって、
副搬送路は、曲線状の搬送路たる曲線部と、紙幣の搬送方向に対して交差する方向に延びた軸部を有し、
曲線部は、軸部を基準に、回動可能であることを特徴とする遊技場の構造。
【発明の詳細な説明】
【技術分野】
【０００１】
本発明は、遊技場の構造に関するものであり、特に遊技機に隣接する機器の取付構造に関する。
【背景技術】
【０００２】
パチンコ機やスロット機等の遊技機を遊技できる遊技場は、複数の遊技機やその遊技機に遊技媒体（例えば、遊技球やメダル）を貸し出す貸出機が列状に設置された遊技島を有し、その遊技島が複数設置されて構成されている。例えば、特許文献１には、パチンコ機とそのパチンコ機に隣接して設置される貸出機に関する技術が開示されている。
【先行技術文献】
【特許文献】
【０００３】
【特許文献１】特開２００９−２２６０８５号公報
【発明の概要】
【発明が解決しようとする課題】
【０００４】
ところで、遊技場では、遊技機のメンテナンスや遊技中のトラブル解消のため、外枠が開放されることがある。特に、遊技島を構成する遊技機がパチンコ機の場合、パチンコ機の盤面上で遊技球が詰まったりすると外枠たるガラス枠が開放される。
一方、パチンコ機が並設された遊技島では、パチンコ機とそのパチンコ機に隣接する貸出機等（以下、単に機器と言う）の前面方向（遊技島から遊技者側に向かう方向）の突出量の差が殆どない位置関係が一般的である。
そのため、このような遊技島においては、パチンコ機におけるガラス枠の開放時に、ガラス枠のヒンジ側の部分が機器の一部に接触して、ガラス枠の開放動作の妨げになってしまう不具合がある。
【０００５】
また、最近の遊技場においては、パチンコ機の種類ごとに遊び方が記載された説明書なるものが置かれている場合があり、そのような場合においてもガラス枠の開放動作が妨げられる場合があった。即ち、一般的に、このような説明書は、紛失等を防止するため、遊技島側に固定された紐に繋がれたクリップ等の挟持手段で保持されると共に、パチンコ機と貸出機の隙間に差し込まれて管理されている。これにより、挟持手段は、パチンコ機や貸出機よりも前方に突出した状態となり、ガラス枠の開放時に干渉してしまう場合があった。従って、このような遊技場においては、貸出機によらなくても、パチンコ機におけるガラス枠の開放動作が妨げられるという問題があった。
【０００６】
また、パチンコ機に注目すると、ガラス枠の開放動作の際に、そのパチンコ機に隣接する機器に干渉することがないように、ガラス枠のデザインを制限しているという実状がある。即ち、従来の遊技場の構造では、パチンコ機におけるテーマに最適なデザインにすることができないという不満があった。
【０００７】
そこで、本発明では、上記した問題に鑑み、遊技機の外枠の開放動作が妨げられることがなく、さらに遊技機のデザインが制限されることがない遊技場の構造を提供することを課題とする。
【課題を解決するための手段】
【０００８】
上記課題を解決するため、請求項１に記載の発明は、遊技媒体を用いて遊技可能な遊技機と、前記遊技機に対して遊技媒体を貸し出す貸出機が列状に設置された遊技場の構造であって、貸出機と遊技機のうちの一方が、他方に対して相対的に前記列に交差する方向に移動可能な移動手段を備えており、遊技機あるいは貸出機を所望の位置で固定できる位置固定手段を備えており、前記位置固定手段は、操作部材と、係合溝で構成されており、前記操作部材は、鍵穴を有した本体部と、留め部材を有し、前記係合溝は、操作部材の留め部材の回動方向に延びるように形成された溝であり、遊技機あるいは貸出機を一の固定位置で固定した状態では、前記留め部材と係合溝が係合した係合状態となっており、前記一の固定位置で固定した状態から球貸機を遊技機に対して相対的に移動させる際には、鍵を本体部に挿入し、鍵を操作することによって留め部材を回動させ、前記留め部材と係合溝の係合状態を解除することを特徴とする遊技場の構造である。
すなわち、請求項１に記載の発明は、遊技媒体を用いて遊技可能な遊技機と、前記遊技機に対して遊技媒体を貸し出す貸出機が列状に設置された遊技場の構造であって、貸出機と遊技機のうちの一方が、他方に対して相対的に前記列に交差する方向に移動可能な移動手段を備えていることを特徴とする。
【０００９】
本発明の遊技場の構造は、貸出機あるいは遊技機のうちの一方が、他方に対して相対的に列に交差する方向に移動可能な移動手段を備えているため、必要に応じて、貸出機あるいは遊技機を移動させて相対的な位置を変更することができる。具体的には、例えば、遊技機における外枠を開放するような場合に、外枠の開放動作を妨げるような位置に貸出機があれば、貸出機を当初の位置よりも後方（列が形成する面に対して凹む方向）に移動させたり、遊技機を当初の位置よりも前方（列が形成する面に対して突出する方向）に移動させることで、両者の相対的な位置が変更され、貸出機を外枠の回動領域内から脱した配置にすることができる。これにより、遊技機の外枠などを開放する場合に、十分な開度を確保できるため、結果的にメンテナンス等の作業効率を向上させることができる。
また、本発明では、移動手段によって、遊技機と貸出機との相対的位置を変更できるため、遊技機をテーマに合わせたいかなるデザインにしても、そのデザインが起因して、外枠の開放動作が妨げられるというような不具合が発生しない。即ち、本発明の遊技場の構造によれば、遊技機はデザインの制限が課せられることがなくなるため、テーマに合ったデザインで製造することができる。
【００１０】
請求項１に記載の発明は、遊技機あるいは貸出機を所望の位置で固定できる位置固定手段を備えていることを特徴とする。
【００１１】
かかる構成によれば、位置固定手段によって、遊技機あるいは貸出機の位置を所望の位置で固定できるため、移動手段によって不意に遊技機や貸出機が移動してしまう不具合を防止することができる。
【００１２】
請求項２に記載の発明は、前記移動手段によって、貸出機が遊技機に対して相対的に移動するものであって、貸出機は投入された紙幣を排出する排出口を有し、当該排出口から排出された紙幣は、副搬送路から主搬送路に搬送されて、所定の場所に収納されるものであって、副搬送路は、曲線状の搬送路たる曲線部と、紙幣の搬送方向に対して交差する方向に延びた軸部を有し、曲線部は、軸部を基準に、回動可能であることを特徴とする請求項１に記載の遊技場の構造である。
【００１３】
かかる構成によれば、貸出機に投入された紙幣がその貸出機自体に収納されないタイプの貸出機であっても、移動手段によって、貸出機を移動させることができる。即ち、本発明は、紙幣が搬送される副搬送路が曲線部を有し、その曲線部に紙幣の搬送方向と交差する方向に軸部が設けられ、軸部を基準に、曲線部が回動する構成とされている。これにより、貸出機の移動方向に外力が加われば、曲線部が軸部を基準として貸出機の移動方向に回動することができるため、移動手段による貸出機の動作が可能となる。具体的には、貸出機を当初の位置よりも後方（列が形成する面に対して凹む方向）に移動させようとすれば、曲線部が折り畳まれるように回動し、移動された貸出機を前方（列が形成する面に対して突出する方向）に移動させようとすれば、折り畳まれた曲線部が再び当初の曲線状に戻るように回動する。
請求項３に記載の発明は、遊技媒体を用いて遊技可能な遊技機と、前記遊技機に対して遊技媒体を貸し出す貸出機が列状に設置された遊技場の構造であって、貸出機と遊技機のうちの一方が、他方に対して相対的に前記列に交差する方向に移動可能な移動手段を備えており、前記移動手段によって、貸出機が遊技機に対して相対的に移動するものであって、貸出機は投入された紙幣を排出する排出口を有し、当該排出口から排出された紙幣は、副搬送路から主搬送路に搬送されて、所定の場所に収納されるものであって、副搬送路は、曲線状の搬送路たる曲線部と、紙幣の搬送方向に対して交差する方向に延びた軸部を有し、曲線部は、軸部を基準に、回動可能であることを特徴とする遊技場の構造である。
【発明の効果】
【００１４】
本発明の遊技場の構造では、列状に設置された遊技機と貸出機のうちの一方が、移動手段によって、他方に対して相対的に列を交差する方向に移動できるため、遊技機の外枠を開放する際に、隣接する貸出機やその他の要因によってその開放動作が妨げられるようなことが起き得ない。結果的に、遊技機のデザインとして貸出機側に張り出すような部位が設けられたとしても、移動手段によって外枠の開放動作が妨げられることがなくなるため、デザインが制限されるということがない。
【図面の簡単な説明】
【００１５】
【図１】本発明の実施形態に係る遊技場の構造を備えた遊技島の一部を示す正面図である。
【図２】図１の遊技島を示すＡ−Ａ断面図である。
【図３】図２の副搬送路を概念的に示す斜視図である。
【図４】図２の操作部材を概念的に示す斜視図である。
【図５】移動手段で貸出機を移動させた際の状況を側面視した概念図であり、（ａ）は通常の固定位置を示し、（ｂ）は移動途中を示し、（ｃ）は変更後の位置を示す。
【図６】移動手段で貸出機を移動させた際の状況を平面視した概念図であり、（ａ）は通常の固定位置を示し、（ｂ）は移動途中を示し、（ｃ）は変更後の位置を示す。
【図７】副搬送路の変形例を示す。
【発明を実施するための形態】
【００１６】
以下に、本発明の実施形態に係る遊技場の構造について説明する。
なお、特に断りがない限り、上下左右、前後方向の表現に関しては、図１に示す遊技機１０を正面視した際の方向を基準とする。
【００１７】
本実施形態の遊技場の構造は、パチンコ機やスロット機等の遊技機１０と、その遊技機１０に隣接する貸出機１２との位置関係を、必要に応じて変更し、遊技機１０における外枠３９の開放動作が妨げられることが阻止できる構成とされている。
【００１８】
本実施形態では、図１に示すように、遊技機として弾球遊技機（所謂パチンコ機）１０が採用されており、列状に設置されて遊技島１１が形成されている。さらに、この遊技島１１においては、各パチンコ機１０の左側に隣接するように、球貸機（貸出機）１２が配置された構成とされている。なお、パチンコ機１０のガラス枠（外枠）３９は、通常、左側に配されたヒンジを基準に、開放する構成とされているため、球貸機１２はパチンコ機１０のヒンジ側に隣接する配置とも言える。
【００１９】
より具体的に説明すると、図２に示すように、遊技島１１には、所定台数分の遊技機取付部１３と、その遊技機取付部１３の左隣には球貸機取付部１４が設けられており、各遊技機取付部１３にはパチンコ機１０が設置され、各球貸機取付部１４には球貸機１２が設置されている。また、遊技機取付部１３や球貸機取付部１４を除く箇所には、化粧板等が設けられて遊技島１１の外壁が形成されている。なお、本実施形態に示す遊技島１１では、各列（図１の正面に１列と背面（図示しない）に１列）に５台ずつのパチンコ機１０が並設されている。そして、各パチンコ機１０に対向する位置に遊技者が着座可能な図示しない椅子が１脚ずつ配置されている。
【００２０】
ここで、本実施形態では、球貸機１２として、パチンコ機１１の払い出し口から球を供給するタイプのものが採用されている。即ち、球貸機１２は、球貸機１２側からパチンコ機１１に球を供給するタイプのものではないため、パチンコ機１１に球を供給するアーム型の流路を有さず、さらに遊技島１１の内部に配された球搬送装置（図示しない）の搬送路から分岐した分岐供給路が接続されていない。
【００２１】
また、本実施形態では、球貸機１２に投入された紙幣は、球貸機１２の内部に収納されず、遊技島１１の内部側に排出し、遊技島１１の所定の場所に設けられた収納容器２６（図１）に収納される構成とされている。即ち、球貸機１２は、図２に示すように、紙幣投入口２０と対向する側（遊技島１１の内部側）に紙幣排出口２１が設けられており、その紙幣排出口２１には、収納容器２６に至る紙幣搬送路２２が接続されている。
【００２２】
紙幣搬送路２２は、公知の紙幣搬送機構を備えた搬送路である。即ち、紙幣搬送路２２は、動力源から駆動力が伝動される駆動用ローラ（図示しない）と、自由に回転する従動ローラ（図示しない）と、それらのローラに巻回されるベルト（図示しない）と、ローラ及びベルト等を収容した筐体によって構成された搬送路である。
また、紙幣搬送路２２は、その遊技島１１のほぼ中央に配置され、パチンコ機１０が形成する列方向に延伸した主搬送路３０と、主搬送路３０から分岐し各球貸機１２の紙幣排出口２１に接続された副搬送路３１とを有し、球貸機１２から収納容器２６までの一連の経路を形成している。
即ち、球貸機１２に投入された紙幣は、紙幣排出口２１から副搬送路３１に導入され、副搬送路３１を通過した紙幣は、主搬送路３０を流れて、収納容器２６内に収納される。
【００２３】
ところで、前記したように、本実施形態の遊技場の構造は、パチンコ機１０と、球貸機１２との位置関係を必要に応じて変更できる構成とされている。
そこで、本実施形態では、球貸機１２をパチンコ機１０に対して相対的に移動可能にするために、球貸機１２に移動手段１５が備えられると共に、副搬送路３１が折れ曲がり可能な構成とされている。
【００２４】
まず、移動手段１５について説明する。
本実施形態において採用された移動手段１５は、公知の直動案内装置が採用されおり、図２に示すように、直線状のレール部材２３と、そのレール部材２３に沿って摺動する摺動部材２４とで構成されている。
本実施形態では、レール部材２３を球貸機取付部１４の下部側に固定し、摺動部材２４を球貸機１２の下部側であって大部分が内部に配されるように取り付けている。具体的には、摺動部材２４は、球貸機１２の奥行き方向（図２の左右方向）のほぼ中央に固定されており、レール部材２３は、一方の端部が球貸取付部１４の奥行き方向（図２の左右方向）のほぼ中央に配置され、他方の端部が遊技島１１の内部寄りに配置されて固定されている。即ち、本実施形態では、摺動部材２４がレール部材２３の前記他方の端部（遊技島１１の外部側端部）側に配置されると、球貸機１２は通常の固定位置となり、摺動部材２４がレール部材２３の前記一方の端部（遊技島１１の内部側端部）側に配置されると、球貸機１２は前記通常の固定位置よりも遊技島１１の内部側に押し込まれた配置となる。
【００２５】
続いて、副搬送路３１について説明する。
本実施形態では、副搬送路３１は、円弧状の搬送路を有した曲線部１７と、直線状の搬送路を有した直線部１８と、部材同士を接続し一方の部材に対する他方の相対的な回動動作を可能とする蝶番（軸部）３５、３６、３７とによって構成されている。具体的には、副搬送路３１は、図３に示すように、曲線部１７の両端に直線部１８、１９を配置して搬送路を形成しており、曲線部１７と直線部１８を蝶番３５、３６によって接続している。より具体的には、蝶番３５、３６は、曲線部１７の円弧の外側に、搬送方向に交差するように配置されて、曲線部１７と直線部１８、１９を接続している。これにより、曲線部１７は、蝶番３５、３６を基準に、曲線部１７の端部における円弧の内側が直線部１８、１９に近接・離反するように回動可能となる。
【００２６】
また、曲線部１７に注目すると、曲線部１７は２つの円弧片部２８、２９を繋げて形成されており、その円弧片部２８、２９の繋ぎ目の部分が蝶番３７によって接続されている。また、この蝶番３７は、曲線部１７の円弧の内側に、搬送方向に交差するように配置されて取り付けられている。これにより、曲線部１７は、蝶番３７を基準に、２つの円弧片部２８、２９の円弧の内側同士が近接・離反するように回動可能となる。
【００２７】
さらに、本実施形態では、移動手段１５による球貸機１２の移動を制限可能な位置固定手段２７が備えられている。即ち、位置固定手段２７は、球貸機１２の正面側であって、高さ方向下部側に形成された貫通孔４５に挿着される操作部材４０と、球貸機取付部１４の底面に形成された係合溝４１で構成されている。
【００２８】
操作部材４０は、所謂カムロックキーが採用されており、図４に示すように、鍵穴を有した本体部４２と、本体部に対して脱着可能な留め部材４３及びボルト４４を有し、留め部材４３が本体部４２の軸方向後端側（鍵穴の位置の反対側）に装着されてボルト４４で固定された構成とされている。即ち、操作部材４０は、鍵穴に挿入された鍵を操作することで、留め部材４３を回動させることができる。なお、この留め部材４３の回動範囲は、９０度程度である。
【００２９】
係合溝４１は、図２に示すように、貫通孔４５に操作部材４０が挿着された状態を基準に、パチンコ機１０等が形成する列方向（操作部材４０の留め部材４３の回動方向）に延びるように形成された溝で、球貸機１２が通常の固定位置（図５（ａ）、図６（ａ））にあるときに留め部材４３が係合し得る位置に配置されている。逆を言えば、本実施形態では、球貸機１２が、通常の固定位置にないときは、操作部材４０を操作しても留め部材４３が係合溝４１に係合することはない。即ち、位置固定手段２７は、球貸機１２が通常の固定位置にあるときに、位置を固定できるものである。
【００３０】
次に、球貸機１２を移動させた際の各部材の動作等について説明する。
本実施形態では、パチンコ機１０等で球詰まりが発生したり、メンテナンスの時期になれば、ガラス枠３９を開放する前に、球貸機１２をパチンコ機１０に対して相対的に移動させることができる。即ち、まず、図５（ａ）、図６（ａ）に示すように、通常の位置に固定された球貸機１２において、位置固定手段２７の操作部材４０に図示しない鍵を挿入して反時計回りに９０度回転する。すると、操作部材４０の留め部材４３と係合溝４１の係合状態が解除される。具体的には、鉛直下向きに向いて係合溝４１に係合された留め部材４３を反時計回りに９０度回転させることで、留め部材４３がほぼ水平状態となり、留め部材４３と係合溝４１の係合状態が解除される。
【００３１】
そして、留め部材４３と係合溝４１との係合状態が解除された状態になれば、移動手段１５による球貸機１２の移動が可能となる。即ち、作業者等によって、球貸機１２を遊技島１１の内部方向に移動させることが可能となる。具体的には、球貸機１２を遊技島１１の内部方向に押圧すると、図５（ｂ）に示すように、移動手段１５における摺動部材２４がレール部材２３に沿って反対側の端部方向（遊技島１１の内部方向）に移動する。換言すれば、球貸機１２の位置が、通常の固定位置よりも後方の位置に変更される。
【００３２】
このとき、球貸機１２が移動することに追従するように、球貸機１２に接続された副搬送路３１の形状が変形される。即ち、球貸機１２が後方に押圧されると、副搬送路３１を形成する曲線部１７と直線部１８との繋ぎ目や、曲線部１７における円弧片部２８、２９同士の繋ぎ目が、蝶番３５、３６、３７を基準に、折り畳まれた形状に変形する。具体的には、図６（ｂ）に示すように、蝶番３５、３６によって接続された部分においては、曲線部１７の円弧の外側が直線部１８に近接しつつ、曲線部１７の端部における円弧の内側部分が直線部１８の端部から離反する。さらに、蝶番３７によって接続された部分においては、円弧片部２８、２９の円弧の内側同士が近接しつつ、円弧片部２８、２９の端部における円弧の外側部分同士が離反する。
【００３３】
そして、図５（ｂ）、図６（ｂ）の状態から、さらに球貸機１２が後方に向けて押圧されると、図５（ｃ）に示すように、移動手段１５における摺動部材２４が、レール部材２３の遊技島１１の内部側に位置する端部に到達して球貸機１２の移動が停止する。そして、同時に、副搬送路３１の形状がさらに変形される。即ち、球貸機１２が後方に押圧されると、副搬送路３１を形成する曲線部１７と直線部１８との繋ぎ目や、曲線部１７における円弧片部２８、２９同士の繋ぎ目が、蝶番３５、３６、３７を基準に、図６（ｃ）に示すように、さらに折り畳まれた形状に変形する。
そして、パチンコ機１０等で発生した球詰まりが解消されたり、メンテナンス作業が終了すれば、球貸機１２の位置を通常の固定位置に戻して、再び位置固定手段２７によって球貸機１２の移動を制限する。
【００３４】
以上のように、本実施形態では、パチンコ機１０のガラス枠３９を開放する際に、そのパチンコ機１０に隣接する球貸機１２が開放動作の妨げになるような場合であっても、球貸機１２を移動手段１５で移動させることができるため、実際上、球貸機１２がパチンコ機１０のガラス枠３９の開放の障害となることがない。これにより、パチンコ機１０における球詰まり解消の際や、メンテナンス作業の際に、ガラス枠３９の開度を十分に確保できるため、作業効率を向上させることができる。
また、パチンコ機１０の外観デザインがいかなるものであっても、球貸機１２をガラス枠３９の回動領域から逸脱した位置に移動させればよいため、結果的に、パチンコ機１０の外観デザインが制限されない。これにより、パチンコ機１０のデザインをテーマに合ったものとすることができる。
【００３５】
上記実施形態では、移動手段１５として、レール部材２３と摺動部材２４によって構成された直動案内装置を採用した構成を示したが、本発明ではこれに限定されず、球貸機取付部１４の底面を彫り込んだレール部を設けると共に、球貸機１２の下部側にレール部に沿って走行可能な車輪を設けた構成であっても構わない。
また、上記実施形態では、移動手段１５を球貸機１２の下部に設けた構成を示したが、本発明ではこれに限定されず、例えば、球貸し機の下部に設けた移動手段１５に加えてあるいは替えて、球貸機１２の上部に設けた構成であっても構わない。
【００３６】
上記実施形態では、副搬送路３１に曲線部１７を設けて、球貸機１２を移動させる際に、曲線部１７が折り畳まれる構成を示したが、本発明ではこれに限定されず、例えば、副搬送路が球貸機１２の移動方向に伸縮するような構成であっても構わない。具体的には、図７に示すように、副搬送路４７は、小開口路４８と大開口路４９とによって構成する。即ち、大開口路４９の一方の端部側に小開口路４８を挿通して、大開口路と小開口路が重なる部分において、上下方向に大開口路４９と小開口路４８に渡って駆動用ローラあるいは従動ローラ（以下、単にローラと言う）を配する。このとき、ローラは小開口路４８側で回転可能に保持し、大開口路４９側においては、開口内に配する構成とする。また、大開口路４９の開口は長孔状にしておく。これにより、小開口路４８は、大開口路４９の搬送路内であって、長孔の開口の範囲内での移動が可能となる。従って、この構成によれば、副搬送路４７を球貸機１２の移動に追従するように伸縮させることが可能となるため、上記実施形態と同様の効果を得ることができる。
【００３７】
上記実施形態では、位置固定手段２７は、球貸機１２を通常の固定位置でのみ固定できる構成としたが、本発明ではこれに限定されず、例えば、球貸機取付部１４の底部に係合溝４１を複数箇所に設け、選択的に固定位置を決定できる構成であっても構わない。
【００３８】
上記実施形態では、パチンコ機１０に隣接する球貸機１２を移動させる構成を示したが、本発明ではこれに限定されず、例えば、球貸機１２を固定して、パチンコ機１０を移動させる構成としても構わない。この場合、パチンコ機１０に遊技球を供給する球用搬送路を可撓性の流路とする等の工夫が必要である。
【００３９】
上記実施形態では、貸出機１２が遊技媒体の搬送路が接続されていない構成のものを採用したが、本発明ではこれに限定されず、貸出機は遊技媒体の搬送路が接続されたものを採用しても構わない。
また、貸出機は、紙幣搬送路２２が接続されず、紙幣が収納される収納部を備えたものであっても構わない。
【００４０】
上記実施形態では、遊技機をパチンコ機１０に限定して説明したが、本発明ではスロット機であってもよく、その場合であっても、同様の効果を奏する。
【符号の説明】
【００４１】
１０    パチンコ機（遊技機）
１１    遊技島
１２    球貸機（貸出機）
１５    移動手段
１７    曲線部
２１    紙幣排出口
２２    紙幣搬送路
３０    主搬送路
３１、４７    副搬送路
３５、３６、３７    蝶番（軸部）
３９    ガラス枠（外枠）
【図１】
0005808149.tif 000002
【図２】
0005808149.tif 000003
【図３】
0005808149.tif 000004
【図４】
0005808149.tif 000005
【図５】
0005808149.tif 000006
【図６】
0005808149.tif 000007
【図７】
0005808149.tif 000008